(57)【要約】【課題】本発明は住民基本台帳の機能動作処理を利用者にとって利用しやすい状態で提供する画像処理装置を提供する。【解決手段】画像処理装置１は、システムコントローラ１４が、各部を制御して各種機能動作処理をするに際して、ネットワークを介して住基サーバに接続するＮＩＦＵ２０と、着脱可能に住基カードが挿入され当該挿入された住基カードと情報の送受信を行うＩＣＣＲＷ１９と、を設け、システムコントローラ１４が、住基サーバから受信した情報及び住基カードから受信した情報を機能動作処理の内容の設定要因として処理する機能動作処理の内容を設定し、当該設定した機能動作処理を制御して、住基カードや住基サーバから受信した利用者の年齢、視力等の情報を利用して、煩わしい操作を利用者が行うことなく、利用者１人１人について、住民基本台帳を利用した機能動作処理の内容を最適化する。【選択図】          図１
2004258939.tif 000002
【特許請求の範囲】
【請求項１】
文書の画像を読み取る画像読取手段と、前記画像読取手段の読み取った画像信号をデジタル変換して所定の画像処理を施す演算処理手段と、当該デジタル画像信号とバスとのインタフェースを一括管理するインタフェース制御手段と、デジタル画像信号のメモリへのアクセスを一括管理するメモリ管理手段と、デジタル画像信号に基づいて画像を用紙に印刷出力する記録出力手段と、前記演算処理手段で画像処理されたデジタル画像信号に基づいて画像を表示出力する表示手段と、当該表示に応じて各種操作の行われる操作手段と、前記各手段を制御して各種機能動作処理を実行する制御手段と、を備えた画像処理装置において、ネットワークを介して住民基本台帳ネットワークサーバに接続するサーバアクセス手段と、着脱可能に住民基本台帳ネットワークカードが挿入され当該挿入された住民基本台帳ネットワークカードと情報の送受信を行うカードアクセス手段と、を設け、前記制御手段が、当該住民基本台帳ネットワークサーバから受信した情報及び当該住民基本台帳ネットワークカードから受信した情報を前記機能動作処理の内容の設定要因として前記処理する機能動作処理の内容を設定し、当該設定した機能動作処理を制御することを特徴とする画像処理装置。
【請求項２】
前記制御手段は、前記操作手段での操作内容を前記機能動作処理の内容の設定要因として追加して当該機能動作処理の内容を設定することを特徴とする請求項１記載の画像処理装置。
【請求項３】
前記制御手段は、前記設定する機能動作処理の内容の一つとして、前記演算処理手段での画像処理の内容を設定することを特徴とする請求項１または請求項２記載の画像処理装置。
【請求項４】
前記制御手段は、所定の条件下で、前記サーバアクセス手段による住民基本台帳ネットワークサーバへのアクセス機能及び前記カードアクセス手段による住民基本台帳ネットワークカードへのアクセス機能の一部または全部を停止することを特徴とする請求項１から請求項３のいずれかに記載の画像処理装置。
【発明の詳細な説明】
【０００１】
【発明の属する技術分野】
本発明は、画像処理装置に関し、詳細には、住民基本台帳の機能動作処理を利用者にとって利用しやすい状態で提供する画像処理装置に関する。
【０００２】
【従来の技術】
【特許文献１】
特開２００１−２５１５２９号公報
【特許文献２】
特開２０００−１９０５７２号公報
【特許文献３】
特開２００１−２９３９２６号公報
【特許文献４】
特開２００１−２５７８６７号公報
【特許文献５】
特開平９−９７３３３号公報
【特許文献６】
特開平８−１６１２９号公報
近時、住民基本台帳ネットワークカード（以下、住基カードという。）を利用した住民基本台帳ネットワーク（以下、住基ネットという。）が開始され、その利用性の向上が望まれている。
【０００３】
この住基ネットは、ｅ−ｊａｐａｎ戦略に基づいて構築される電子政府及び電子自治体のネットワークワークシステムであり、住基カードは、住民の請求によって地方公共団体が交付するもので、本人確認情報（氏名、住民票コード、生年月日、性別、パスワード、鍵情報）が記録されたＩＣ（Ｉｎｔｅｇｒａｔｅｄ  Ｃｉｒｃｕｉｔ）カードである。このＩＣカードは、１枚に複数の機能を持たせることができ、技術的には、本人確認情報を記録する機能以外にも、例えば、免許証、診療カルテ、図書館利用者カード等の機能を組み込むことができるが、現行法では、地方公共団体が条例を制定し、行政サービスを目的とする場合にのみ機能の追加が許可されているため、民間サービスとの連携を行うことはできない。ところが、将来においては、現行法が改正されて、住民基本台帳ネットワークサーバ（以下、住基サーバという。）や住基カードから受信した情報を民間のサービスに利用することが要望されている。
【０００４】
一方、近年、カラーの印刷技術が発達し、個人や企業が多種多様なカラー文書を作成し印刷するようになってきている。しかし、色に対して人が抱くイメージは千差万別であり、同じ文書であっても、閲覧者の色彩嗜好によって、美しい文書にも美しくない文書にもなり得る。
【０００５】
また、色覚異常者は、色を誤認するため、文書の閲覧者が色覚異常者であった場合、色そのものに重要な情報が含まれていると、全ての内容を正しく理解することができない場合があるが、このような問題は、カラー文書の発行部数が急増している今日、日常的に起こり得る。
【０００６】
そして、従来、ユーザの色彩嗜好及び色覚特性を調べ、その結果に基づいて画像処理の内容を最適化して、ユーザにとって視認性が良く、好ましいと感じる文書を作成する技術が種々提案されている。
【０００７】
例えば、画像再現性に影響を与える複数の因子パラメータの条件が入力手段から入力されると、当該入力された複数の因子パラメータの条件全てを考慮して、補正パラメータを設定し、当該設定された補正パラメータを用いて、補正手段が入力されたカラー画像データに所定の色補正を行なう画像処理装置が提案されている（特許文献１参照）。
【０００８】
すなわち、この従来技術は、ユーザが入力した情報に基づいて、ユーザの色彩嗜好を判定して、画像処理の内容を最適化しようとしている。
【０００９】
また、従来、プリント装置により色補正が施された印刷データに基づいて印刷される画像の色調整を行うための画像処理方法であって、ユーザが色の選択情報およびプリント装置の印刷特性情報を入力すると、当該選択情報および印刷特性情報に基づいて色補正のパラメータを変更して色調整を行う画像処理方法が提案されている（特許文献２参照）。
【００１０】
すなわち、この従来技術は、ユーザが好みのカラーパレットを選択すると、当該カラーパレットを使用してユーザの色彩嗜好を判定し、画像処理の内容を最適化しようとしている。
【００１１】
さらに、描画データに基づいて印刷コマンドを作成し、該印刷コマンドをプリンタへ送信するに際して、描画データが示すイメージを見易い明確なイメージに変換するための１以上の変換形態のうち、いずれか一つ又は複数の変換形態を希望するかを変換形態受付手段で受け付け、描画データを印刷コマンドに変換する過程で、印刷コマンドが示すイメージを、イメージ変換手段で、変換形態受付手段で受け付けた一つ又は複数の変換形態に応じた見易い明確なイメージに変換するプリンタホストが提案されている（特許文献３参照）。
【００１２】
また、画像に処理を施すに際して、画素が有する色に基づいて画像から領域を抽出し、色情報データベースを参照して抽出した領域に対応する色情報を特定して、色情報の表示を領域に関連付けて画像に合成する画像処理装置が提案されている（特許文献４参照）。
【００１３】
すなわち、特許文献３及び特許文献４の従来技術は、ユーザが入力した情報に基づいて、ユーザの視覚特性を判定して、画像処理の内容を最適化しようとしている。
【００１４】
そして、画像処理装置においては、近時、グラフィカルなユーザインターフェイスとして、ＬＣＤ（Ｌｉｑｕｉｄ  Ｃｒｙｓｔａｌ  Ｄｉｓｐｌａｙ）やＣＲＴ（陰極線管：Ｃａｔｈｏｄｅ  Ｒａｙ  Ｔｕｂｅ）等にタッチパネルを付加したタッチパネル付きディスプレイが用いられるようになってきているが、表示デバイスのカラー化、大画面化、高解像度化が進み、タッチパネル付きディスプレイ上には、より多くの情報を表示できるようになってきている。
【００１５】
ところが、タッチパネル付きディスプレイに表示される文字や絵柄等の内容、サイズ、色等は、従来、一般的な色覚及び視覚を有する成年者や壮年者を基準として決定されているため、高齢者や弱視者にとっては、表示される文字や絵柄が見づらく、全ての内容を認識することができない場合があり、また、タッチパネルのボタン等を押し間違えることで、誤った情報を入力してしまう場合があった。
【００１６】
そこで、従来、表示画像に対して所定の補正をした後、その補正画像を表示するように際して、ユーザの入力した情報に基づいて、当該補正を人間の視覚特性に基づいて行う画像処理装置が提案されている（特許文献５参照）。
【００１７】
すなわち、この従来技術は、ユーザが入力した情報、例えば、年齢ダイヤルの入力情報に基づいて、ユーザの視覚特性を判断して、表示する画像を最適化しようとしている。
【００１８】
また、従来、色覚データ入力手段で色覚データが入力されると、視覚変換手段で、ビデオ信号生成手段により生成されたビデオ信号を、当該入力手段で入力された色覚データに基づいて色覚変換し、当該色覚変換したビデオ信号を、信号変換手段で表示用パネル信号に変換して、表示パネルに表示する画像処理装置が提案されている（特許文献６参照）。
【００１９】
すなわち、この従来技術は、ユーザが入力した情報に基づいて、ユーザの色覚特性を判定して、表示する画像を最適化しようとしている。
【００２０】
【発明が解決しようとする課題】
しかしながら、このような従来の画像処理装置にあっては、各利用者の入力操作に基づいて各利用者の色彩嗜好や視覚特性に合わせて最適な動作を提供するようになっていたために、このような従来の画像処理装置を住基ネットに接続して、不特定多数の利用者が利用する場合、より利用性を向上させる上で、改良の必要があった。
【００２１】
すなわち、上記特許文献１から特許文献４の従来技術にあっては、ユーザの色彩嗜好及び色覚特性を調べるために、ユーザが情報を入力したり、好みのカラーパレットを選択する等の行為を要求しているが、利用者がユーザ情報を入力したり、好みのカラーパレットを選択する入力行為を、利用者の１人１人に実施させることは難しく、特に、画像処理装置を住基ネットに接続する場合、利用者毎にユーザ情報の入力やカラーパレットの選択入力を要求することなく、画像処理の機能を十分発揮させる上で、改良の必要があった。
【００２２】
また、特許文献５の従来技術にあっては、ユーザが情報入力操作として年齢情報を入力操作することで、画像補正を行っているが、ユーザの視覚特性を単純に年齢から判断しているため、画像処理が不十分である。ところが、この場合、視覚特性を判断する条件として、例えば、視力や眼色等の他の要素も加えると、画像処理を適切に行うことはできるが、利用者の情報入力操作がより一層複雑となり、画像処理装置を住基ネットに接続して不特定多数の利用者に対して適切な画像処理を行うためには、ユーザ情報を効率的に取り込んで、利用性を向上させる上で、改良の必要があった。
【００２３】
すなわち、上記各従来技術にあっては、画像処理装置自体がユーザ情報を格納しているか、画像処理装置を提供する企業等のデータベースにユーザ情報が登録されていない限り、画像処理装置がユーザ情報を認識する方法がないため、不特定多数の利用者の希望が満たされるように画像処理装置の諸動作を最適化するためには、利用者情報を画像処理装置へ入力するといった煩わしい作業を、利用者に強いる必要があり、画像処理装置を不特定多数の利用者が利用する住基ネットに接続して利用するためには、ユーザ情報を効率的に利用して、その利用性を向上させる上で、改良の必要があった。
【００２４】
そこで、請求項１記載の発明は、文書の画像を読み取る画像読取手段の読み取った画像信号を演算処理手段でデジタル変換して所定の画像処理を施し、当該デジタル画像信号とバスとのインタフェースをインタフェース制御手段で一括管理して、デジタル画像信号のメモリへのアクセスをメモリ管理手段で一括管理し、デジタル画像信号に基づいて画像を記録出力手段で用紙に印刷出力し、演算処理手段で画像処理されたデジタル画像信号に基づいて表示手段に画像を表示出力し、当該表示に応じて操作手段で各種操作が行われて、制御手段が、これら各手段を制御して各種機能動作処理をするに際して、ネットワークを介して住民基本台帳ネットワークサーバに接続するサーバアクセス手段と、着脱可能に住民基本台帳ネットワークカードが挿入され当該挿入された住民基本台帳ネットワークカードと情報の送受信を行うカードアクセス手段と、を設け、制御手段が、当該住民基本台帳ネットワークサーバから受信した情報及び当該住民基本台帳ネットワークカードから受信した情報を機能動作処理の内容の設定要因として処理する機能動作処理の内容を設定し、当該設定した機能動作処理を制御することにより、住基カードや住基サーバから受信した当該利用者の年齢、視力、色覚異常の有無等の情報を利用して、煩わしい操作を利用者が行うことなく、利用者１人１人について、住民基本台帳を利用した機能動作処理の内容を最適化し、利用性の良好な画像処理装置を提供することを目的としている。
【００２５】
請求項２記載の発明は、操作手段での操作内容を機能動作処理の内容の設定要因として追加して当該機能動作処理の内容を設定することにより、煩わしい操作を利用者が行うことなく、利用者が特別に操作した内容に応じて処理内容を変更して、利用者１人１人について、住民基本台帳を利用した機能動作処理の内容をより一層最適化し、より一層利用性の良好な画像処理装置を提供することを目的としている。
【００２６】
請求項３記載の発明は、設定する機能動作処理の内容の一つとして、演算処理手段での画像処理の内容を設定することにより、煩わしい操作を利用者が行うことなく、利用者１人１人について、住民基本台帳を利用した機能動作処理の内容、特に、表示手段への表示の視認性及び操作性をより一層最適化し、より一層利用性の良好な画像処理装置を提供することを目的としている。
【００２７】
請求項４記載の発明は、所定の条件下で、サーバアクセス手段による住民基本台帳ネットワークサーバへのアクセス機能及びカードアクセス手段による住民基本台帳ネットワークカードへのアクセス機能の一部または全部を停止することにより、住民基本台帳ネットワークカードの不正使用や住民基本台帳ネットワークサーバへの不正アクセスを防止し、安全で利用性の良好な画像処理装置を提供することを目的としている。
【００２８】
【課題を解決するための手段】
請求項１記載の発明の画像処理装置は、文書の画像を読み取る画像読取手段と、前記画像読取手段の読み取った画像信号をデジタル変換して所定の画像処理を施す演算処理手段と、当該デジタル画像信号とバスとのインタフェースを一括管理するインタフェース制御手段と、デジタル画像信号のメモリへのアクセスを一括管理するメモリ管理手段と、デジタル画像信号に基づいて画像を用紙に印刷出力する記録出力手段と、前記演算処理手段で画像処理されたデジタル画像信号に基づいて画像を表示出力する表示手段と、当該表示に応じて各種操作の行われる操作手段と、前記各手段を制御して各種機能動作処理を実行する制御手段と、を備えた画像処理装置において、ネットワークを介して住民基本台帳ネットワークサーバに接続するサーバアクセス手段と、着脱可能に住民基本台帳ネットワークカードが挿入され当該挿入された住民基本台帳ネットワークカードと情報の送受信を行うカードアクセス手段と、を設け、前記制御手段が、当該住民基本台帳ネットワークサーバから受信した情報及び当該住民基本台帳ネットワークカードから受信した情報を前記機能動作処理の内容の設定要因として前記処理する機能動作処理の内容を設定し、当該設定した機能動作処理を制御することにより、上記目的を達成している。
【００２９】
上記構成によれば、文書の画像を読み取る画像読取手段の読み取った画像信号を演算処理手段でデジタル変換して所定の画像処理を施し、当該デジタル画像信号とバスとのインタフェースをインタフェース制御手段で一括管理して、デジタル画像信号のメモリへのアクセスをメモリ管理手段で一括管理し、デジタル画像信号に基づいて画像を記録出力手段で用紙に印刷出力し、演算処理手段で画像処理されたデジタル画像信号に基づいて表示手段に画像を表示出力し、当該表示に応じて操作手段で各種操作が行われて、制御手段が、これら各手段を制御して各種機能動作処理をするに際して、ネットワークを介して住民基本台帳ネットワークサーバに接続するサーバアクセス手段と、着脱可能に住民基本台帳ネットワークカードが挿入され当該挿入された住民基本台帳ネットワークカードと情報の送受信を行うカードアクセス手段と、を設け、制御手段が、当該住民基本台帳ネットワークサーバから受信した情報及び当該住民基本台帳ネットワークカードから受信した情報を機能動作処理の内容の設定要因として処理する機能動作処理の内容を設定し、当該設定した機能動作処理を制御するので、住基カードや住基サーバから受信した当該利用者の年齢、視力、色覚異常の有無等の情報を利用して、煩わしい操作を利用者が行うことなく、利用者１人１人について、住民基本台帳を利用した機能動作処理の内容を最適化することができ、利用性を向上させることができる。
【００３０】
この場合、例えば、請求項２に記載するように、前記制御手段は、前記操作手段での操作内容を前記機能動作処理の内容の設定要因として追加して当該機能動作処理の内容を設定するものであってもよい。
【００３１】
上記構成によれば、操作手段での操作内容を機能動作処理の内容の設定要因として追加して当該機能動作処理の内容を設定するので、煩わしい操作を利用者が行うことなく、利用者が特別に操作した内容に応じて処理内容を変更して、利用者１人１人について、住民基本台帳を利用した機能動作処理の内容をより一層最適化することができ、より一層利用性を向上させることができる。
【００３２】
また、例えば、請求項３に記載するように、前記制御手段は、前記設定する機能動作処理の内容の一つとして、前記演算処理手段での画像処理の内容を設定するものであってもよい。
【００３３】
上記構成によれば、設定する機能動作処理の内容の一つとして、演算処理手段での画像処理の内容を設定するので、煩わしい操作を利用者が行うことなく、利用者１人１人について、住民基本台帳を利用した機能動作処理の内容、特に、表示手段への表示の視認性及び操作性をより一層最適化することができ、より一層利用性を行うことができる。
【００３４】
さらに、例えば、請求項４に記載するように、前記制御手段は、所定の条件下で、前記サーバアクセス手段による住民基本台帳ネットワークサーバへのアクセス機能及び前記カードアクセス手段による住民基本台帳ネットワークカードへのアクセス機能の一部または全部を停止するものであってもよい。
【００３５】
上記構成によれば、所定の条件下で、サーバアクセス手段による住民基本台帳ネットワークサーバへのアクセス機能及びカードアクセス手段による住民基本台帳ネットワークカードへのアクセス機能の一部または全部を停止するので、住民基本台帳ネットワークカードの不正使用や住民基本台帳ネットワークサーバへの不正アクセスを防止することができ、安全性を向上させることができるとともに、利用性向上させることができる。
【００３６】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３７】
図１〜図７は、本発明の画像処理装置の一実施の形態を示す図であり、図１は、本発明の画像処理装置の一実施の形態を適用した画像処理装置１の回路ブロック構成図である。
【００３８】
図１において、画像処理装置１は、読取ユニット２、ＳＢＵ（センサボードユニット）３、ＣＤＩＣ（圧縮／伸長及びデータインタフェース制御部）４、ＩＰＰ（画像処理プロセッサ）５、ＶＤＣ（ビデオ・データ制御部）６、作像ユニット７、プロセスコントローラ８、ＲＡＭ（Ｒａｎｄｏｍ  Ａｃｃｅｓｓ  Ｍｅｍｏｒｙ）９、ＲＯＭ（Ｒｅａｄ  Ｏｎｌｙ  Ｍｅｍｏｒｙ）１０、ＦＣＵ（ファックス制御ユニット）１１、ＩＭＡＣ（画像メモリアクセス制御部）１２、ＭＥＭ（メモリ群）１３、システムコントローラ１４、操作部１５、外部シリアルポート１６、ＲＡＭ１７、ＲＯＭ１８、ＩＣＣＲＷ（ＩＣカードリーダー／ライター）１９及びＮＩＦＵ（ネットワークインタフェースユニット）２０等を備え、読取ユニット２、ＳＢＵ３、ＣＤＩＣ４、ＩＰＰ５、ＶＤＣ６、作像ユニット７、プロセスコントローラ８、ＲＡＭ９及びＲＯＭ１０がシリアルバス２１に、ＦＣＵ１１、ＩＭＡＣ１２、ＣＤＩＣ４、ＶＤＣ６、ＩＣＣＲＷ１９及びＮＩＦＵ２０は、パラレルバス２２に、ＩＭＡＣ１２、ＲＡＭ１７、ＲＯＭ１８及びフォントＲＯＭ１９は、ローカルバス２３に、それぞれ接続されている。
【００３９】
本実施の形態の画像処理装置１は、住基ネットワークで利用者に住民基本台帳情報（住基情報）を提供する装置である。ところが、現行法では、地方公共団体が条例を制定し、行政サービスを目的とする場合のみ機能の追加が許されているため、民間サービスとの連携はできない。そこで、本実施の形態の画像処理装置１は、住民基本台帳ネットワークサーバ（住基サーバ）や住民基本台帳ネットワークカード（住基カード）とのアクセス行為については、将来、現行法が改正され、住基サーバや住基カードから受信した情報を民間のサービスに利用することが許された場合を想定している。
【００４０】
画像処理装置１は、スキャナモード、コピーモード、ファックスモード、プリンタモード等の各種モード機能を備えている。そして、画像処理装置１は、スキャナモードあるいはコピーモードでは、読取ユニット（画像読取手段）２が、光源から読取光を文書に照射して、文書からの反射光をミラー及びレンズを介してＳＢＵ３に設けられたＣＣＤ（Ｃｈａｒｇｅ  Ｃｏｕｐｌｅｄ  Ｄｅｖｉｃｅ  ）等の受光素子に集光させる。受光素子は、３種類あり、それぞれ赤成分と緑成分と青成分を受光する。受光素子は、ＳＢＵ３に搭載され、入射光を光電変換することで、文書を走査して、文書の画像を読み取って、電気信号に変換した赤成分と緑成分と青成分の画像を、ＳＢＵ３で、ディジタル変換されして、赤成分、緑成分及び青成分のデジタル画像信号としてＣＤＩＣ４に出力する。なお、以降、必要に応じて、赤成分のデジタル画像信号を、Ｒ信号、緑成分のデジタル画像信号を、Ｇ信号、青成分のデジタル画像信号を、Ｂ信号という。
【００４１】
ＣＤＩＣ（インタフェース制御手段）４は、機能デバイス及びデータバス間における画像データの伝送を全て制御し、ＳＢＵ３、パラレルバス２１、ＩＰＰ５間のデータ転送を行う。また、ＣＤＩＣ４は、画像処理装置１の全体を制御するシステムコントローラ１４と画像データに対する処理制御を行うプロセスコントローラ８間の通信を行う。
【００４２】
そして、ＣＤＩＣ４は、ＳＢＵ３からの画像信号をＩＰＰ５に転送し、ＩＰＰ（演算処理手段）５は、光学系及びディジタル信号への量子化に伴う信号劣化（スキャナー系の信号劣化）を補正して、再度、ＣＤＩＣ４に出力する。
【００４３】
画像処理装置１は、その画像処理において、画像データ（読取画像データ等）をメモリに蓄積して再利用するジョブと、メモリに蓄積しないジョブとがある。まず、メモリに蓄積する例としては、例えば、１枚の文書を複数枚複写する場合、読取ユニット２を１回だけ動作させ、メモリに蓄積し、蓄積データを複数回読み出す使い方がある。次に、メモリを使わない例としては、例えば、１枚の文書を１枚だけ複写する場合であり、この場合には、読取画像データをそのまま再生すれば良いので、メモリアクセスを行う必要はない。そして、メモリを使わない場合、画像処理装置１は、上述のように、ＩＰＰ５からＣＤＩＣ４に転送されたデータを、再度、ＣＤＩＣ４からＩＰＰ５に戻し、ＩＰＰ５で受光素子による輝度データを面積階調に変換するための画質処理を行う。ＩＰＰ５は、住基カード及び住基サーバから受信した情報から最適な画像処理の内容を選択し、ディジタル画像信号に対して画像処理を実行する。ＩＰＰ５で行う画像処理の例は、後で説明するが、例えば、印刷用の色変換処理等であり、印刷用の色変換処理では、デジタル画像信号は、Ｒ信号、Ｇ信号及びＢ信号の３種類からＣ（シアン）信号とＭ（マゼンタ）信号とＹ（イエロー）信号とＫ（ブラック）信号の４種類に変換する。画像処理装置１は、この変換後のデジタル画像信号をＩＰＰ５からＶＤＣ６に転送し、ＶＤＣ６で、Ｃ信号に対しては、シアン色のドット、Ｍ信号に対しては、マゼンダ色のドット、Ｙ信号に対しては、黄色のドット、Ｋ信号に対しては、黒色のドットを印刷するためのパルス制御を行い、作像ユニット７で紙面に印刷画像を形成する。作像ユニット（記録出力手段）７としては、各種記録方式のものを用いることができるが、例えば、電子写真方式のものが用いられる。
【００４４】
そして、メモリを使用して付加的な処理、例えば、画像方向の回転、画像の合成等を行う場合には、画像処理装置１は、上記ＩＰＰ５からＣＤＩＣ４に転送されたデータを、ＣＤＩＣ４からパラレルバス２１を経由してＩＭＡＣ１２に送る。ＩＭＡＣ（メモリ管理手段）１２は、システムコントローラ１４の制御下で、画像データとＭＥＭ１３のアクセス制御、外部シリアルポートから送られてくるデジタル画像データの受信、メモリ有効活用のための画像データの圧縮／伸張等を行う。そして、ローカルバス２３によってＩＭＡＣ１２と接続されているＲＡＭ１７及びＲＯＭ１８には、例えば、フォントデータや合成する図柄といったＩＭＡＣ１２が処理を行う際に必要となる情報が蓄積される。
【００４５】
ＩＭＡＣ１２は、送られてきたデジタル画像信号をデータ圧縮した後、ＭＥＭ１３へ蓄積し、また、蓄積データを必要に応じてＭＥＭ１３から読み出して、読み出したデータを伸張した後、パラレルバス２１を経由してＣＤＩＣ４を経由して、ＩＰＰ５に転送する。ＩＰＰ５は、受光素子による輝度データを面積階調に変換するための画質処理を行って、画質処理後の画像データをＶＤＣ６に転送する。ＶＤＣ６は、面積階調に変化された信号に対して、ドット配置に関する後処理及びドットを再現するためのパルス制御を行って、作像ユニット７で転写紙上に再生画像を形成する。
【００４６】
すなわち、画像処理装置１は、パラレルバス２１及びＣＤＩＣ４でのバス制御により、データをＭＥＭ１３への蓄積や各種転送処理を行って、画像処理装置１としての機能を実現している。
【００４７】
また、画像処理装置１は、ＦＣＵ１１に公衆回線（ＰＮ）３１が接続されており、ＦＣＵ１１を利用して、ファックス送信及びファックス受信機能を実現する。すなわち、画像処理装置１は、ファックス送信時、読取ユニット２で読み取った画像データを、上述のようにＩＰＰ５に転送して、ＩＰＰ５で必要な画像処理を施した後、ＣＤＩＣ４及びパラレルバス２１を経由してＦＣＵ１１へ転送する。ＦＣＵ１１は、通信網へのデータ変換を行い、ＰＮ３１へファックスデータとして送信する。
【００４８】
そして、画像処理装置１は、ファックス受信時、ＰＮ３１からのファックスデータをＦＣＵ１１で受信してデジタル画像信号に変換し、パラレルバス２１及びＣＤＩＣ４を経由してＩＰＰ５へ転送する。この場合、ＩＰＰ５は、転送されてきた画像データに対して特別な画質処理は行わず、ＶＤＣ６に転送し、ＶＤＣ６でドット再配置及びパルス制御を行い、作像ユニット７で紙面に画像を形成する。
【００４９】
さらに、ＩＭＡＣ１２には、システムコントローラ１４、操作部１５及び外部シリアルポート１６等が接続されており、システムコントローラ１４は、画像処理装置１の全体の制御を行う。
【００５０】
また、画像処理装置１は、複数ジョブ、例えば、コピー機能、ファックス送受信機能、プリンタ出力機能等を並行に処理する機能を備えており、この複数のジョブを平行して動作させる場合、読取ユニット２、作像ユニット７及びパラレルバス２１を使用権のジョブへ割り振りを行うが、この割り振りをシステムコントローラ１４及びプロセスコントローラ８で制御する。プロセスコントローラ８は、デジタル画像信号の流れを制御し、システムコントローラ１４は、システム全体を制御して、各リソースの起動を管理し、これらプロセスコントローラ８及びシステムコントローラ１４、特に、システムコントローラ１４は、制御手段として機能している。
【００５１】
システムコントローラ１４とプロセスコントローラ８は、パラレルバス２２、ＣＤＩＣ４及びシリアルバス２１を介して相互に通信を行い、ＣＤＩＣ４内で、パラレルバス２２とシリアルバス２１とのデータインタフェースのためのデータフォーマット変換を行う。
【００５２】
ＩＣＣＲＷ（カードアクセス手段）１９には、住基カードが着脱可能に挿入され、ＩＣＣＲＷ１９は、挿入された住基カードと情報の送受信を行う。すなわち、ＩＣＣＲＷ１９は、住基カードが接触型のＩＣカードであると、ＩＣＣＲＷ１９とＩＣカードが接触することで情報の送受信が可能となり、また、非接触型のＩＣカードであると、情報の送受信に使用する電波が届く範囲にＩＣカードが置かれていると、情報の送受信が可能となる。
【００５３】
ＮＩＦＵ（サーバアクセス手段）２０には、住基サーバの接続されている広域ネットワークが接続され、ＮＩＦＵ２０は、当該広域ネットワークを介して住基サーバと情報の送受信を行う。ＩＣＣＲＷ１９とＮＩＦＵ２０は、パラレルバス２２に接続されており、住基カードや住基サーバから受信したユーザ情報を、各部に配信する。
【００５４】
そして、シリアルバス２１に接続されているＲＡＭ９及びＲＯＭ１０には、読取ユニット２、ＳＢＵ３、ＣＤＩＣ４、ＩＰＰ５、ＶＤＣ６、作像ユニット７、プロセスコントローラ８が処理を行う際に必要となる情報が蓄積される。
【００５５】
操作部（操作手段）１５には、画像処理装置１に対して各種指示操作を行う各種キー及び液晶画面（表示手段）５２（図２、図４〜図７参照）等が設けられており、操作部１５での指示操作に応じてシステムコントローラ１４が画像処理装置１の各部を制御して、画像処理装置１としての基本処理及びメモリ制御処理を行う。特に、操作部１５は、住基カードの所有者を確認するためのパスワードの入力が行われ、液晶画面５２の表示画面のデザインは、住基カード及び住基サーバから受信した情報によって適宜変更される。
【００５６】
上記操作部１５は、図２に示すように構成されており、４つのメモリ４１、４２、４３、４４、制御部４５、伸張部４６、３つのフレームメモリ４７、４８、４９、演算部５０、液晶駆動部５１及び液晶画面５２等を備えている。制御部４５には、システムコントローラ１４から操作部制御信号が入力され、制御部４５は、この操作部制御信号とユーザ情報に基づいて操作部１５の各部を制御して、表示処理を行う。
【００５７】
メモリ４１には、画面データが圧縮された状態で記憶されており、１画面について、文字や絵柄のサイズが異なる２種類のデザインが記憶されている（図６及び図７を参照）。この２種類のデザインの画面データのうち、文字や絵柄のサイズが大きい方（図６参照）は、高齢者や弱視の利用者向けに作成されたものであり、文字や絵柄のサイズが小さい方（図７参照）は、健常者の利用者向けとして作成されたものである。
【００５８】
メモリ４２には、操作部１５での処理を記述したプログラムが記憶されており、制御部４５は、メモリ４２に対してプログラムの読み出し及び書き込みを行う。制御部４５は、メモリ４２から読み出したプログラムに従って、伸張部４６、演算部５０、液晶駆動部５１及び液晶画面に制御信号を発信する動作処理と、メモリ４４へ制御データを読み書きする動作処理を行う。
【００５９】
メモリ４３には、制御部４５がプログラムを実行する際に参照する情報が記憶され、住基カードや住基サーバから読み取ったユーザ情報もメモリ４３に記憶される。
【００６０】
メモリ４４には、演算部５０が画像処理を行う時に必要なパラメータが記憶されており、制御部４５と演算部５０の両方が読み書き可能である。メモリ４４には、例えば、色補正処理を行う時に参照する色補正テーブルデータ、γ補正処理を行う時に参照するγテーブルデータ等が記憶されている。
【００６１】
伸張部４６は、メモリ４１に記憶されている画面データをビットマップ形式に伸張した後、Ｒ成分、Ｇ成分、Ｂ成分に分けてフレームメモリ４７、４８、４９へ転送し、フレームメモリ４７、４８、４９は、転送されてきたＲ成分、Ｇ成分、Ｂ成分の画面データを演算部５０に転生する。演算部５０は、転送されてきた画面データに対して種々の画像処理を施して、液晶駆動部５２に出力し、液晶駆動部５１は、受信した画面データに基づいて液晶駆動信号を発信して、液晶画面５２に画像を表示させる。
【００６２】
また、上記ＩＰＰ５は、図３に示すようにブロック構成されており、制御部６１、３つのメモリ６２、６３、６４、入力部６５、演算部６６及び出力部６７等を備えている。
【００６３】
ＩＰＰ５には、ＣＤＩＣ４から３種類のデジタル画像信号（Ｒ信号、Ｇ信号、Ｂ信号）が転送され、入力部６５は、これらの３種類のデジタル画像信号で受信する。入力部６５は、受信したデジタル画像信号を画像処理部である演算部６６に転送し、演算部６６は、転送されてきたデジタル画像信号に所定の画像処理を施して、Ｒ信号、Ｇ信号、Ｂ信号の３種類、または、４種類のＣ信号、Ｍ信号、Ｙ信号、Ｋ信号として、出力部６７に転送する。出力部６７は、演算部６６から転送されてきたデジタル画像信号をＣＤＩＣ４へ転送する。
【００６４】
メモリ６２には、ＩＰＰ５での処理を記述したプログラムが記憶されており、制御部６１は、メモリ６２に対してプログラムの読み出し及び書き込みを行う。制御部６１は、メモリ６２から読み出したプログラムに従って、入力部６５、演算部６６及び出力部６７に制御信号を発信し、メモリ６３に制御データの読み書きを行う。メモリ６３には、制御部６７がプログラムを実行する時に参照する情報も記憶されている。制御部６１は、メモリ６３に対して情報の読み出し及び書き込みを行い、住基カードから読み取ったユーザ情報や住基サーバからダウンロードしたユーザ情報もメモリ６３に記憶する。
【００６５】
メモリ６４には、演算部６６が画像処理を行う時に参照する情報、例えば、印刷用の色変換処理を行う時に参照する色変換テーブルデータ等が記憶されており、制御部６１と演算部６６の双方がメモリ６４の読み書きを行う。ＩＰＰ５とＣＤＩＣ４との間は、デジタル画像信号に加え、ＲＥＡＤＹ／ＢＵＳＹ信号が結線されている。ＲＥＡＤＹ信号とは、ＩＰＰ５が画像データを受信できる状態にあることをＣＤＩＣ４へ伝達するための信号であり、ＢＵＳＹ信号とは、ＩＰＰ５が画像データを受信できる状態にないことをＣＤＩＣ４へ伝達するための信号である。また、ＩＰＰ５には、システムコントローラ１４からの制御が、ＩＰＰ制御信号を経由して制御部６１へ伝えられる。
【００６６】
次に、本実施の形態の作用を説明する。まず、画像処理装置１が、住基カードや住基サーバからユーザ情報を取得して、種々の内部ユニットへ配信されるまでの動作処理について説明する。なお、以下の説明では、住基カードは接触型のＩＣカードであるとする。
【００６７】
画像処理装置１は、住基カードがＩＣＣＲＷ１９に指し込まれると、システムコントローラ１４が、２段階のセキュリティーチェックを開始する。システムコントローラ１４は、まず、１段階目のセキュリティチェックとして、利用者が住基カードの所有者本人であることを確認する。この場合、システムコントローラ１４は、例えば、図４に示すようなパスワード入力要求メッセージを操作部１５の液晶画面５２に表示し、利用者にパスワードの入力を促す。
【００６８】
システムコントローラ１４は、利用者が操作部１５からパスワードの入力を行うと、住基カードからパスワードを読み出して、入力されたパスワードと住基カードに記録されているパスワードを照合し、両者のパスワードが一致しない場合には、住基カードがＩＣＣＲＷ１９から引き抜かれるまで、何度もパスワードの入力を促す。システムコントローラ１４は、両者のパスワードが一致していた場合には、２段階目のセキュリティチェックとして、有効な住基カードであるか否かを確認する。例えば、住基カードから氏名と住民票コードを読み出し、それらの情報をＮＩＦＵ２０を経由して住基サーバへ送信し、住基サーバに有効な住基カードであるか否かの判定を依頼する。例えば、偽造カードや盗難・紛失届の出ている住基カード、あるいは、本人の死亡等により効力を失った住基カードであると判定された場合には、システムコントローラ１４は、図５に示すような使用不可メッセージを操作部１５の液晶画面５２に表示し、以降、住基カードがＩＣＣＲＷ１９から引き抜かれるまで、住基カード及び住基サーバへのアクセスを停止する。
【００６９】
システムコントローラ１４は、差し込まれた住基カードが有効な住基カードであると判定された場合には、セキュリティーチェックを全て通過したと判断して、住基カードや住基サーバから必要なユーザ情報を取得する。ここで取得するユーザ情報とは、例えば、年齢、性別、視力、視覚及び色覚に関わる障害の有無等である。システムコントローラ１４は、取得したユーザ情報をＩＰＰ５と操作部１５に転送する。この場合、システムコントローラ１４は、ＩＰＰ５へユーザ情報を送信するときには、一旦ＣＤＩＣ４へユーザ情報を送信し、ＣＤＩＣ４がＩＰＰ５へ転送する。また、システムコントローラ１４は、操作部１５へユーザ情報を送信するときには、一旦ＩＭＡＣ１２へユーザ情報を送信し、ＩＭＡＣ１２が操作部１５へ転送する。
【００７０】
次に、画像処理装置１がユーザ情報に基づいて操作部１５の液晶画面５２に表示する表示画面を最適化する処理について説明する。
【００７１】
操作部１５は、上述のように、システムコントローラ１４からユーザ情報が転送されてくると、制御部４５が当該ユーザ情報を一旦メモリ４３に格納し、制御部４５は、メモリ４３に格納したユーザ情報から、年齢や視力、視覚及び色覚に関わる障害の有無等を調べる。
【００７２】
制御部４５は、ユーザ情報を調べた結果、利用者が高齢者または弱視者であると判定された場合には、メモリ４１に記憶されている２種類のデザインのうち、文字や絵柄のサイズの大きい方のデザインを選択し、また、色覚異常者と判定された場合には、利用者が誤認する色を識別可能な色へと変更するために、メモリ４４の色変換テーブルデータを変更する。
【００７３】
制御部４５は、上記選択したデザインの画面データを伸張部４６に渡して、伸張部で当該画面データをビットマップ形式に伸張した後、Ｒ成分、Ｇ成分、Ｂ成分に分けてフレームメモリ４７、４８、４９へ転送し、フレームメモリ４７、４８、４９で、転送されてきたＲ成分、Ｇ成分、Ｂ成分の画面データを演算部５０に転生する。演算部５０は、転送されてきた画面データに対して種々の画像処理を施して、液晶駆動部５２に出力するが、このとき、上記メモリ４４の色変換テーブルデータを利用して色変換処理を行う。液晶駆動部５１は、受信した画面データをもとに液晶駆動信号を発信して、液晶画面５２に、例えば、図６に示すような文字や絵柄のサイズの大きい画像を表示させる。
【００７４】
したがって、利用者が、高齢者や弱視者及び色覚異常者であっても、液晶画面５２に表示された情報を正しく読むことができ、また、ボタンの押し間違え等による操作ミスも抑えることができる。
【００７５】
また、制御部４５は、ユーザ情報を調べた結果、利用者が高齢者または弱視者等でないと判定されると、メモリ４１に記憶されている２種類のデザインのうち、文字や絵柄のサイズが小さい方の健常者の利用者向けとして作成されたものを選択し、以降、上記同様に処理して、液晶画面５２に、例えば、図７に示すような文字や絵柄のサイズの小さい画像を表示させる。
【００７６】
次に、画像処理装置１が、ユーザ情報に基づいて液晶画面５２に表示する画面データに対して施す画像処理の内容を最適化する処理について説明する。
【００７７】
制御部４５は、メモリ４２に記憶されているユーザ情報から、年齢や視力、視覚及び色覚に関わる障害の有無等を調べ、当該調べた結果、色覚異常者と判定された場合には、利用者が誤認する色を識別可能な色へと変更するために、メモリ４４の色変換テーブルデータを変更する。
【００７８】
また、制御部４５は、年齢に基づいても画像処理を変化させるが、この場合、年の若い人ほど彩度や明度が高く刺激的な色を好むのに対して、高齢者では、色の階調変化が滑らかで、自然な色合いを好む傾向があるため、年齢を制御因子として、色変換テーブルやγテーブルを補正する。
【００７９】
操作部１５は、このようにして、画像処理の色変換テーブルやγテーブルを設定すると、上述のように、上記選択したデザインの画面データを伸張部４６に渡して、伸張部で当該画面データをビットマップ形式に伸張した後、Ｒ成分、Ｇ成分、Ｂ成分に分けてフレームメモリ４７、４８、４９へ転送し、フレームメモリ４７、４８、４９で、転送されてきたＲ成分、Ｇ成分、Ｂ成分の画面データを演算部５０に転生する。演算部５０は、転送されてきた画面データに対して種々の画像処理を施して、液晶駆動部５２に出力するが、このとき、上記メモリ４４の色変換テーブルデータやγテーブルを利用して色変換処理を行う。液晶駆動部５１は、受信した画面データをもとに液晶駆動信号を発信して、液晶画面５２に画像を表示させる。
【００８０】
そして、画像処理装置１は、上記画面表示処理において、操作部１５で利用者が画面表示の訂正操作を行うと、システムコントローラ１４の制御下で、制御部４５が上記色変換テーブルやγテーブルを変更補正し、当該変更補正後の内容で画像処理して、液晶画面５２に画像を表示させる。
【００８１】
そして、画像処理装置１は、住基カードや住基サーバへのアクセスを利用者の意志に関係なく中断を行う場合がある。以下、この住基カードや住基サーバへのアナログ佐瀬の中断処理について説明する。
【００８２】
すなわち、画像処理装置１は、住基カードや住基サーバへのアクセスを、ユーザの意思に関係なく中断する場合があり、このような中断する例としては、例えば、２つ有り、１つ目は、上記２段階のセキュリティーチェックによって、住基カードの不正利用が発覚した場合であり、２つ目は、住基カードや住基サーバへのアクセスが、民間に開放されていない時期、または、民間に開放されていない地域で使用されている場合である。
【００８３】
まず、１つ目の例では、上述のように、画像処理装置１は、住基カードがＩＣＣＲＷ１９に指し込まれると、システムコントローラ１４が、２段階のセキュリティーチェックを行うが、このセキュリティチェックで、１段階目のセキュリティチェックで、入力されたパスワードと住基カードに記録されているパスワードが一致しない場合には、住基カードがＩＣＣＲＷ１９から引き抜かれるまで、何度もパスワードの入力を促す処理を行って、以降の住基カードや住基サーバへのアクセスを利用者の意志に関係なく中断する。また、システムコントローラ１４は、２段階目のセキュリティチェックとして、有効な住基カードであるか否かを確認して、有効な住基カードではないと判断すると、以降、住基カードがＩＣＣＲＷ１９から引き抜かれるまで、住基カード及び住基サーバへのアクセスを停止する。
【００８４】
次に２つ目の例では、住基カードや住基サーバへのアクセスが、民間に開放されていない時期、または、民間に開放されていない地域で使用されている場合か否かの判断は、始めから住基カードや住基サーバにアクセスする機能が起動しないような制御をシステムコントローラ１４の制御に追加することで処理する。そして、民間への利用が認められた時点で、ハードウェアを交換するか、または、ソフトウェアの交換等によって、システムコントローラ１４から住基カードや住基サーバへのアクセスの起動を行わない制御を取り除くことで対応する。
【００８５】
このように、本実施の形態の画像処理装置１は、文書の画像を読み取る読取ユニット２の読み取った画像信号をＩＰＰ５でデジタル変換して所定の画像処理を施し、当該デジタル画像信号とバスとのインタフェースをＣＤＩＣ４で一括管理して、デジタル画像信号のメモリへのアクセスをＩＭＡＣ１２で一括管理し、デジタル画像信号に基づいて画像を作像ユニット７で用紙に印刷出力し、ＩＰＰ５で画像処理されたデジタル画像信号に基づいて操作部１５の液晶画面５２に画像を表示出力し、当該表示に応じて操作部１５で各種操作が行われて、システムコントローラ１４が、これら各部を制御して各種機能動作処理をするに際して、ネットワークを介して住基サーバに接続するＮＩＦＵ２０と、着脱可能に住基カードが挿入され当該挿入された住基カードと情報の送受信を行うＩＣＣＲＷ１９と、を設け、システムコントローラ１４が、当該住基サーバから受信した情報及び当該住基カードから受信した情報を機能動作処理の内容の設定要因として処理する機能動作処理の内容を設定し、当該設定した機能動作処理を制御している。
【００８６】
したがって、住基カードや住基サーバから受信した当該利用者の年齢、視力、色覚異常の有無等の情報を利用して、煩わしい操作を利用者が行うことなく、利用者１人１人について、住民基本台帳を利用した機能動作処理の内容を最適化することができ、利用性を向上させることができる。
【００８７】
また、本実施の形態の画像処理装置１は、操作部１５での操作内容を機能動作処理の内容の設定要因として追加して当該機能動作処理の内容を設定している。
【００８８】
したがって、煩わしい操作を利用者が行うことなく、利用者が特別に操作した内容に応じて処理内容を変更して、利用者１人１人について、住民基本台帳を利用した機能動作処理の内容をより一層最適化することができ、より一層利用性を向上させることができる。
【００８９】
さらに、本実施の形態の画像処理装置１は、設定する機能動作処理の内容の一つとして、ＩＰＰ５での画像処理の内容を設定している。
【００９０】
したがって、煩わしい操作を利用者が行うことなく、利用者１人１人について、住民基本台帳を利用した機能動作処理の内容、特に、液晶画面５２への表示の視認性及び操作性をより一層最適化することができ、より一層利用性を行うことができる。
【００９１】
また、本実施の形態の画像処理装置１は、所定の条件下で、ＮＩＦＵ２０による住民基本台帳ネットワークサーバへのアクセス機能及びＩＣＣＲＷ１９による住民基本台帳ネットワークカードへのアクセス機能の一部または全部を停止している。
【００９２】
したがって、住基カードの不正使用や住基サーバへの不正アクセスを防止することができ、安全性を向上させることができるとともに、利用性向上させることができる。
【００９３】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００９４】
【発明の効果】
請求項１記載の発明の画像処理装置によれば、文書の画像を読み取る画像読取手段の読み取った画像信号を演算処理手段でデジタル変換して所定の画像処理を施し、当該デジタル画像信号とバスとのインタフェースをインタフェース制御手段で一括管理して、デジタル画像信号のメモリへのアクセスをメモリ管理手段で一括管理し、デジタル画像信号に基づいて画像を記録出力手段で用紙に印刷出力し、演算処理手段で画像処理されたデジタル画像信号に基づいて表示手段に画像を表示出力し、当該表示に応じて操作手段で各種操作が行われて、制御手段が、これら各手段を制御して各種機能動作処理をするに際して、ネットワークを介して住民基本台帳ネットワークサーバに接続するサーバアクセス手段と、着脱可能に住民基本台帳ネットワークカードが挿入され当該挿入された住民基本台帳ネットワークカードと情報の送受信を行うカードアクセス手段と、を設け、制御手段が、当該住民基本台帳ネットワークサーバから受信した情報及び当該住民基本台帳ネットワークカードから受信した情報を機能動作処理の内容の設定要因として処理する機能動作処理の内容を設定し、当該設定した機能動作処理を制御するので、住基カードや住基サーバから受信した当該利用者の年齢、視力、色覚異常の有無等の情報を利用して、煩わしい操作を利用者が行うことなく、利用者１人１人について、住民基本台帳を利用した機能動作処理の内容を最適化することができ、利用性を向上させることができる。
【００９５】
請求項２記載の発明の画像処理装置によれば、操作手段での操作内容を機能動作処理の内容の設定要因として追加して当該機能動作処理の内容を設定するので、煩わしい操作を利用者が行うことなく、利用者が特別に操作した内容に応じて処理内容を変更して、利用者１人１人について、住民基本台帳を利用した機能動作処理の内容をより一層最適化することができ、より一層利用性を向上させることができる。
【００９６】
請求項３記載の発明の画像処理装置によれば、設定する機能動作処理の内容の一つとして、演算処理手段での画像処理の内容を設定するので、煩わしい操作を利用者が行うことなく、利用者１人１人について、住民基本台帳を利用した機能動作処理の内容、特に、表示手段への表示の視認性及び操作性をより一層最適化することができ、より一層利用性を行うことができる。
【００９７】
請求項４記載の発明の画像処理装置によれば、所定の条件下で、サーバアクセス手段による住民基本台帳ネットワークサーバへのアクセス機能及びカードアクセス手段による住民基本台帳ネットワークカードへのアクセス機能の一部または全部を停止するので、住民基本台帳ネットワークカードの不正使用や住民基本台帳ネットワークサーバへの不正アクセスを防止することができ、安全性を向上させることができるとともに、利用性向上させることができる。
【図面の簡単な説明】
【図１】本発明の画像処理装置の一実施の形態を適用した画像処理装置の全体回路ブロック構成図。
【図２】図１の操作部の回路ブロック構成図。
【図３】図１のＩＰＰの回路ブロック構成図。
【図４】図１の画像処理装置のセキュリティチェックとしてパスワードの入力を求める操作部の液晶画面の表示例を示す平面図。
【図５】図１の画像処理装置のセキュリティチェックで不正利用と判定した際の操作部の液晶画面の表示例を示す平面図。
【図６】図１の画像処理装置の操作部の液晶画面の高齢者等向けの表示例を示す平面図。
【図７】図１の画像処理装置の操作部の液晶画面の健常者等向けの表示例を示す平面図。
【符号の説明】
１  画像処理装置
２  読取ユニット
３  ＳＢＵ（センサボードユニット）
４  ＣＤＩＣ（圧縮／伸長及びデータインタフェース制御部）
５  ＩＰＰ（画像処理プロセッサ）
６  ＶＤＣ（ビデオ・データ制御部）
７  作像ユニット
８  プロセスコントローラ
９  ＲＡＭ
１０  ＲＯＭ
１１  ＦＣＵ（ファックス制御ユニット）
１２  ＩＭＡＣ（画像メモリアクセス制御部）
１３  ＭＥＭ（メモリ群）
１４  システムコントローラ
１５  操作部
１６  外部シリアルポート
１７  ＲＡＭ
１８  ＲＯＭ
１９  ＩＣＣＲＷ（ＩＣカードリーダー／ライター）
２０  ＮＩＦＵ（ネットワークインタフェースユニット）
２１  シリアルバス
２２  パラレルバス
２３  ローカルバス
３１  ＰＮ
４１〜４４  メモリ
４５  制御部
４６  伸張部
４７〜４９  フレームメモリ
５０  演算部
５１  液晶駆動部
５２  液晶画面
６１  制御部
６２〜６４  メモリ
６５  入力部
６６  演算部
６７  出力部
【図１】
2004258939.tif 000003
【図２】
2004258939.tif 000004
【図３】
2004258939.tif 000005
【図４】
2004258939.tif 000006
【図５】
2004258939.tif 000007
【図６】
2004258939.tif 000008
【図７】
2004258939.tif 000009